(57)【要約】【課題】止水性の高い樋状の屋根材の取り付け部材の連結構造を提供する。【解決手段】屋根材の取り付け部材の連結構造は、一対の屋根材の取り付け部材１０ａ、１０ｂであって、それぞれの取り付け部材１０ａ、１０ｂが、屋根材が固定される長尺で樋状の取り付け本体１１、及び取り付け本体１０ａ、１０ｂにおける長手方向の少なくとも一方の端部を建物の構造材に固定する固定部２０を有する、一対の取り付け部材１０ａ、１０ｂと、一対の取り付け部材同士を連結する樋状の連結部材３０であって、一対の取り付け部材それぞれの取り付け本体１１における一方の端部同士を突き合わせた状態で、突き合わされた一方の端部同士の外側を固定される屋根材とは反対の方向から覆うようにして、一対の取り付け部材１０ａ、１０ｂを連結する連結部材３０と、を備え、固定部２０は連結部材３０に結合される切り込み２３を有する。【選択図】図２
2013113034.tif 000002
【特許請求の範囲】
【請求項１】
一対の屋根材の取り付け部材であって、それぞれの前記取り付け部材が、屋根材が固定される長尺で樋状の取り付け本体、及び前記取り付け本体における長手方向の少なくとも一方の端部を建物の構造材に固定する固定部を有する、一対の取り付け部材と、
前記一対の取り付け部材同士を連結する樋状の連結部材であって、前記一対の取り付け部材それぞれの前記一方の端部同士を突き合わせた状態で、突き合わされた前記一方の端部同士の外側を固定される屋根材とは反対の方向から覆うようにして、前記一対の取り付け部材を連結する連結部材と、
を備え、
前記固定部は前記連結部材に結合される結合部を有する、取り付け部材の連結構造。
【請求項２】
前記連結部材は、突き合わされた前記一方の端部それぞれの外側と密接する請求項１に記載の取り付け部材の連結構造。
【請求項３】
前記連結部材は、底板と、前記底板の両端に垂設された側板とを有する請求項１又は２に記載の取り付け部材の連結構造。
【請求項４】
前記固定部の前記結合部は、前記底板の両端に垂設された前記側板それぞれが差し込まれる切り込みを有する請求項３に記載の取り付け部材の連結構造。
【請求項５】
前記固定部の前記結合部は、前記底板の両端部それぞれが差し込まれる切り込みを有する請求項３に記載の取り付け部材の連結構造。
【請求項６】
突き合わせた前記一方の端部と前記連結部材との間には、シール材が配置される請求項１〜５の何れか一項に記載の取り付け部材の連結構造。
【請求項７】
屋根材が固定される長尺で樋状の取り付け本体と、
前記取り付け本体における少なくとも長手方向の一方の端部を、建物の構造材に固定する固定部と、
を備え、
前記固定部は、一方の前記取り付け本体における前記一方の端部と他方の前記取り付け本体における前記一方の端部とを突き合わせて連結するための結合部を有する屋根材の取り付け部材。
【請求項８】
一対の屋根材の取り付け部材であって、それぞれの前記取り付け部材が、屋根材が固定される長尺で樋状の取り付け本体、及び前記取り付け本体における長手方向の少なくとも一方の端部を建物の構造材に固定する固定部を有し、前記固定部が前記一対の取り付け部材それぞれの前記一方の端部同士を突き合わせて連結するための結合部を有する一対の取り付け部材を、前記一対の取り付け部材同士を連結する樋状の連結部材であって、前記一対の取り付け部材それぞれの前記一方の端部同士を突き合わせた状態で、突き合わされた前記一方の端部同士の外側を固定される屋根材とは反対の方向から覆うようにして、前記一対の取り付け部材を連結する連結部材を用いて連結する方法であって、
一方の前記取り付け部材の前記結合部を前記連結部材の一方の側に結合し、
他方の前記取り付け部材の前記結合部を前記連結部材の他方の側に結合する方法。
【請求項９】
前記連結部材は、底板と、前記底板の両端に垂設された側板とを有し、前記固定部の前記結合部は、前記底板の両端に垂設された前記側板それぞれが差し込まれる切り込みを有し、
一方の前記取り付け部材を前記連結部材に結合する際には、一方の前記取り付け部材を、前記連結部材の上方から前記連結部材に向かって降ろして、一方の前記取り付け部材の前記固定部の前記切り込みに前記連結部材の一方の側における前記側板それぞれを差し込み、
他方の前記取り付け部材を前記連結部材に結合する際には、他方の前記取り付け部材を、前記連結部材の上方から前記連結部材に向かって降ろして、他方の前記取り付け部材の前記固定部の前記切り込みに前記連結部材の他方の側における前記側板それぞれを差し込む請求項８に記載の方法。
【請求項１０】
前記連結部材は、底板と、前記底板の両端に垂設された側板とを有し、前記固定部の前記結合部は、前記底板の両端に垂設された前記側板それぞれが差し込まれる切り込みを有し、
一方の前記取り付け部材を前記連結部材に結合する際には、前記連結部材を、一方の前記取り付け部材の側方から一方の前記取り付け部材に向かって移動させて、一方の前記取り付け部材の前記固定部の前記切り込みに、前記連結部材の一方の側における前記側板それぞれを差し込み、
他方の前記取り付け部材を前記連結部材に結合する際には、他方の前記取り付け部材を、前記連結部材の側方から前記連結部材に向かって移動させて、他方の前記取り付け部材の前記固定部の前記切り込みに前記連結部材の他方の側における前記側板それぞれを差し込む請求項８に記載の方法。
【請求項１１】
前記連結部材は、底板と、前記底板の両端に垂設された側板とを有し、前記固定部の前記結合部は、前記底板の両端部それぞれが差し込まれる切り込みを有し、
一方の前記取り付け部材を前記連結部材に結合する際には、前記連結部材を、一方の前記取り付け部材の側方から一方の前記取り付け部材に向かって移動させて、一方の前記取り付け部材の前記固定部の前記切り込みに、前記連結部材の一方の側における前記底板の両端部それぞれを差し込み、
他方の前記取り付け部材を前記連結部材に結合する際には、他方の前記取り付け部材を、前記連結部材の側方から前記連結部材に向かって移動させて、他方の前記取り付け部材の前記固定部の前記切り込みに前記連結部材の他方の側における前記底板の両端部それぞれを差し込む請求項８に記載の方法。
【請求項１２】
一方の前記取り付け部材と前記連結部材との間及び他方の前記取り付け部材と前記連結部材との間に、シール材を配置する請求項８〜１１の何れか一項に記載の方法。
【請求項１３】
一方の前記取り付け部材を、前記連結部材の一方の側に結合した後に、一方の前記取り付け部材の固定部を、建物の構造材に固定し、
他方の前記取り付け部材を、前記連結部材の他方の側に結合した後に、他方の前記取り付け部材の固定部を、建物の構造材に固定する請求項８〜１２の何れか一項に記載の方法。
【発明の詳細な説明】
【技術分野】
【０００１】
本発明は、屋根材の取り付け部材の連結構造、そのような構造に用いられる取り付け部材及びそのような一対の取り付け部材を連結部材を用いて連結する方法に関する。
【背景技術】
【０００２】
従来、建物の屋根は、複数の屋根材が並べられて構成されている。
【０００３】
例えば、特許文献１に開示されるように、建物の屋根には、複数の長尺の屋根材が長手方向に延びる側部同士を突き合わせて、建物の構造材の上に並べて配置されているものがある。
【０００４】
そして、屋根材は、特許文献１に開示されているような取り付け部材を用いて、建物の構造材に固定される。
【０００５】
特許文献１に開示される取り付け部材は、長尺で樋状の形を有しており、一対の屋根材の側部同士が突き合わされた状態で、その突き合わされた側部同士を樋状の凹部内に収容している。そのため、取り付け部材は、雨水等が一対の屋根材の側部同士の間から取り付け部材内に侵入しても、雨水等を流す樋として機能する。
【先行技術文献】
【特許文献】
【０００６】
【特許文献１】特開２０１１−２６８０７号公報
【発明の概要】
【発明が解決しようとする課題】
【０００７】
ところで、屋根材の長手方向の寸法が、取り付け部材の長さよりも長い場合には、複数の取り付け部材が連結されて用いられる。
【０００８】
この際、２つの取り付け部材それぞれの端部同士を突き合わせた連結部に隙間があると、取り付け部材内を流れる雨水等が、この連結部から外へ漏れるおそれがある。
【０００９】
そこで、本明細書では、上述した問題を解決しうる屋根材の取り付け部材の連結構造を提供することを目的とする。
【００１０】
また、本明細書では、上述した問題を解決しうる屋根材の取り付け部材の連結構造に用いられる取り付け部材を提供することを目的とする。
【００１１】
更に、本明細書では、そのような一対の取り付け部材を連結部材を用いて連結する方法を提供することを目的とする。
【課題を解決するための手段】
【００１２】
本明細書に開示する取り付け部材の連結構造によれば、一対の屋根材の取り付け部材であって、それぞれの上記取り付け部材が、屋根材が固定される長尺で樋状の取り付け本体、及び上記取り付け本体における長手方向の少なくとも一方の端部を建物の構造材上に支持する支持部を有する、一対の取り付け部材と、上記一対の取り付け部材同士を連結する樋状の連結部材であって、上記一対の取り付け部材それぞれの上記一方の端部同士を突き合わせた状態で、突き合わされた上記一方の端部同士の外側を固定される屋根材とは反対の方向から覆うようにして、上記一対の取り付け部材を連結する連結部材と、を備え、上記支持部は上記連結部材に結合される結合部を有する。
【００１３】
また、本明細書に開示する取り付け部材によれば、屋根材が固定される長尺で樋状の取り付け本体と、上記取り付け本体における少なくとも長手方向の一方の端部を、建物の構造材上に支持する支持部と、を備え、上記支持部は、一方の上記取り付け本体における上記一方の端部と他方の上記取り付け本体における上記一方の端部とを突き合わせて連結するための結合部を有する。
【００１４】
更に、本明細書に開示する一対の屋根材の取り付け部材を連結部材を用いて連結する方法によれば、一対の屋根材の取り付け部材であって、それぞれの上記取り付け部材が、屋根材が固定される長尺で樋状の取り付け本体、及び上記取り付け本体における長手方向の少なくとも一方の端部を建物の構造材上に支持する支持部を有し、上記支持部が上記一対の取り付け部材それぞれの上記一方の端部同士を突き合わせて連結するための結合部を有する一対の取り付け部材を、上記一対の取り付け部材同士を連結する樋状の連結部材であって、上記一対の取り付け部材それぞれの上記一方の端部同士を突き合わせた状態で、突き合わされた上記一方の端部同士の外側を固定される屋根材とは反対の方向から覆うようにして、上記一対の取り付け部材を連結する連結部材を用いて連結する方法であって、一方の上記取り付け部材の上記結合部を上記連結部材の一方の側に結合し、他方の上記取り付け部材の上記結合部を上記連結部材の他方の側に結合する。
【発明の効果】
【００１５】
上述した本明細書に開示する樋状の屋根材の取り付け部材の連結構造によれば、屋根材の取り付け部材の連結部の止水性が高められる。
【００１６】
また、上述した本明細書に開示する樋状の取り付け部材によれば、高い止水性を有する屋根材の取り付け部材の連結構造が得られる。
【００１７】
更に、上述した本明細書に開示する一対の樋状の屋根材の取り付け部材を連結部材を用いて連結する方法によれば、高い止水性を有する屋根材の取り付け部材の連結構造が得られる。
【図面の簡単な説明】
【００１８】
【図１】（Ａ）は、第１実施形態の屋根材の取り付け部材の連結構造を用いる屋根構造の一例を示す図であり、（Ｂ）は、第１実施形態の屋根材の取り付け部材の連結構造を有する屋根構造の他の一例を示す図である。
【図２】本明細書に開示する屋根材の取り付け部材の連結構造の第１実施形態を示す斜視図である。
【図３】（Ａ）は、第１実施形態の取り付け部材の連結構造の端面図であり、（Ｂ）は、平面図であり、（Ｃ）は、側面図である。
【図４】第１実施形態の取り付け部材の連結構造に屋根材が固定された屋根構造の一実施形態を示す図である。
【図５】本明細書に開示する屋根材の取り付け部材の連結構造の第２実施形態を示す斜視図である。
【図６】（Ａ）は、第２実施形態の取り付け部材の連結構造の端面図であり、（Ｂ）は、平面図であり、（Ｃ）は、側面図である。
【図７】本明細書に開示する屋根材の取り付け部材の連結構造の第３実施形態を示す斜視図である。
【図８】（Ａ）は、第３実施形態の取り付け部材の連結構造の端面図であり、（Ｂ）は、平面図であり、（Ｃ）は、側面図である。
【図９】第３実施形態の取り付け部材の連結構造に屋根材が固定された屋根構造の一実施形態を示す図である。
【図１０】（Ａ）〜（Ｄ）は、一対の取り付け部材を連結部材を用いて連結する方法の第１実施形態を示す図である。
【図１１】（Ａ）〜（Ｅ）は、一対の取り付け部材を連結部材を用いて連結する方法の第２実施形態を示す図である。
【図１２】（Ａ）〜（Ｅ）は、一対の取り付け部材を連結部材を用いて連結する方法の第３実施形態を示す図である。
【発明を実施するための形態】
【００１９】
以下、本明細書で開示する屋根材の取り付け部材の連結構造の好ましい第１実施形態を、図を参照して説明する。但し、本発明の技術範囲はそれらの実施形態に限定されず、特許請求の範囲に記載された発明とその均等物に及ぶものである。
【００２０】
図１（Ａ）は、第１実施形態の屋根材の取り付け部材の連結構造を用いる屋根構造の一例を示す図であり、図１（Ｂ）は、第１実施形態の屋根材の取り付け部材の連結構造を有する屋根構造の他の一例を示す図である。図２は、本明細書に開示する屋根材の取り付け部材の連結構造の第１実施形態を示す斜視図である。図３（Ａ）は、第１実施形態の取り付け部材の連結構造の端面図であり、図３（Ｂ）は、平面図であり、図３（Ｃ）は側面図である。ここで、図３（Ａ）は、図３（Ｂ）のＸ−Ｘ線断面図である。
【００２１】
図１（Ａ）に示すように、複数の長尺の屋根材６０が、本実施形態の屋根材の取り付け部材の連結構造１（以下、単に連結構造１ともいう）を用いて、その長手方向に延びる側部同士を突き合わせた状態で建物の屋根構造を形成している。１つの屋根材６０の長手方向の寸法は、１つの取り付け部材１０ａ、１０ｂの長さよりも長いので、２つの取り付け部材１０ａ、１０ｂが連結されて用いられている。
【００２２】
図２に示すように、連結構造１は、一対の長尺の屋根材の取り付け部材１０ａ、１０ｂと、一対の取り付け部材同士を連結する連結部材３０と、を備える。
【００２３】
連結構造１は長尺であり、その長手方向は、取り付け部材１０ａ、１０ｂの長手方向と一致している。また、連結構造１の長手方向は、屋根材６０の長手方向と一致している。本明細書では、図２及び図３に示す連結構造１は、その全体を示すために図１（Ａ）に示されるものよりも短く描かれている。
【００２４】
一対の取り付け部材１０ａ、１０ｂそれぞれは、同じ形状を有している。そこで、以下に述べる取り付け部材１０ａに関する説明は、取り付け部材１０ｂに対しても適宜適用される。
【００２５】
取り付け部材１０ａは、屋根材６０が固定される長尺で樋状の取り付け本体１１、及び取り付け本体１１における長手方向の少なくとも一方の端部を建物の構造材上に支持する取り付け支持部２０を有する。
【００２６】
取り付け本体１１の長手方向は、取り付け部材１０ａの長手方向と一致している。また、本実施形態では、取り付け支持部２０は、取り付け本体１１の長手方向の全体に亘って設けられている。取り付け支持部２０の長手方向も、取り付け部材１０ａの長手方向と一致している。即ち、取り付け支持部２０は、取り付け本体１１の長手方向の全体を建物の構造材上に支持する。また、取り付け支持部２０は、例えば、ビス等を用いて所定の間隔で建物の構造材に接合されて、取り付け本体１１を建物の構造材上に固定する。
【００２７】
まず、取り付け本体１１について、以下に説明する。
【００２８】
取り付け本体１１は、板状の底部１１ａと、底部１１ａの両端に底部１１ａとは反対の方向に向かって延びるように垂設された板状の側部１１ｂとを有する。底部１１ａと一対の側部１１ｂは、上方に開口した樋状の空間を形成する。底部１１ａ及び側部１１ｂも長尺であり、その長手方向は、取り付け本体１１の長手方向と一致する。
【００２９】
また、取り付け本体１１は、屋根材６０を取り付けるための屋根材保持部１２を有する。屋根材保持部１２は、底部１１ａの略中央に底部１１ａとは反対の方向に向かって垂設された屋根材受け部１２ｂと、側部１１ｂの端部から底部１１ａ側に向かって折り返すように形成された当接部１２ａとを有する。屋根材保持部１２を用いて屋根材６０が取り付け本体１１に取り付けられる構成については後述する。
【００３０】
次に、取り付け支持部２０について、以下に説明する。
【００３１】
取り付け支持部２０は、取り付け本体１１の幅方向の両端部それぞれに設けられている。取り付け支持部２０は、底部１１ａの幅方向の端部それぞれから外方に向かって延出している。ここで、取り付け本体１１の幅方向は、取り付け本体１１の長手方向と直交する方向であり、同様に、底部１１ａの幅方向は、底部１１ａの長手方向と直交する方向である。
【００３２】
図２及び図３（Ａ）に示すように、取り付け支持部２０は、底部１１ａの幅方向の端部から側部１１ｂとは反対の方向に向かって斜めに延びる傾斜部２１と、傾斜部２１の端部から底部１１ａの幅方向の外方に向かって水平に延びる板状の水平部２２とを有する。水平部２２は、底部１１ａと平行に延びている。
【００３３】
そして、傾斜部２１は、連結部材３０に結合される結合部を有する。本実施形態では、傾斜部２１の結合部は、切り込み２３を有する。切り込み２３は、取り付け支持部２０の長手方向に延びている。
【００３４】
図３（Ｂ）に示すように、切り込み２３を連結構造１の上方から見た形状は、縦長の矩形形状を有する。
【００３５】
また、水平部２２は、取り付け本体１１を建物の構造材上に支持する。また、水平部２２には、取り付け本体１１を建物の構造材上に固定する際に、ビス等で貫通穴を開けるための位置の目印となる溝２４が、取り付け支持部２０の長手方向に延びるように設けられている。
【００３６】
次に、連結部材３０について、以下に説明する。
【００３７】
連結部材３０は、樋状の形状を有する。連結部材３０は、一対の取り付け部材１０ａ、１０ｂそれぞれの取り付け本体１１における一方の端部同士を突き合わせた状態で、突き合わされた一方の端部同士の外側を固定される屋根材とは反対の方向から覆うようにして、一対の取り付け部材１０ａ、１０ｂを連結する。
【００３８】
連結部材３０は、底板３１と、底板３１の両端に底板３１とは反対の方向に向かって延びるように垂設された側板３２とを有する。底板３１と一対の側板３２は、上方に開口した樋状の空間を形成する。樋状の連結部材３０の開口の向きが、樋状の一対の取り付け本体１１それぞれの開口の向きと一致している。連結部材３０は横長であり、その長手方向は、連結構造１の長手方向と一致する。樋状の形状を有する連結部材３０は、同様に樋状の形状を有する取り付け本体１１を、内部に収容し得る寸法を有している。
【００３９】
連結部材３０の底板３１の両端に垂設された側板３２それぞれの基部が、取り付け支持部２０の切り込み２３に差し込まれて、一対の取り付け部材１０ａ、１０ｂが、連結部材３０を用いて連結される。切り込み２３の長さは、側板３２の長手方向の寸法の半分の寸法である。また、切り込みの幅は、側板３２の厚さに対応している。
【００４０】
連結部材３０の底板３１は、取り付け本体１１の板状の底部１１ａの下側に密接するように配置される。また、連結部材３０の側板３２は、取り付け本体１１の板状の側部１１ｂの外側に密接するように配置される。このように、樋状の連結部材３０は、その開口の向き一致させて、一対の樋状の取り付け部材１０ａ、１０ｂと重ね合わされる。
【００４１】
このように、連結部材３０は、取り付け本体１１の突き合わせた一方の端部それぞれの外側と密接することが、連結構造１の止水性を高める上で好ましい。
【００４２】
連結構造１では、突き合わされた一方の端部と連結部材３０との間には、止水性を有するシール材７１（図１０参照）が配置されることが、連結構造１の止水性を更に高める上で好ましい。シール材７１としては、コーキング材のようなペースト状のものを連結部材３０の内側に塗布することができる。また、シール材７１として、パッキング材のような弾性を有するものを、連結部材３０の内側にその周縁にそって環状に配置しても良い。
【００４３】
取り付け支持部２０の傾斜部２１の傾斜によって建物の構造材と取り付け本体１１の底部１１ａとの間に形成される隙間は、連結部材３０の底板３１、又は底板３１及びシール材７１が収まることを許容する寸法を有することが好ましい。
【００４４】
このように、連結構造１では、一対の取り付け部材１０ａ、１０ｂの連結部が、連結部材３０によって連結されている。
【００４５】
図４は、第１実施形態の取り付け部材の連結構造に屋根材が固定された屋根構造の一実施形態を示す図である。
【００４６】
屋根構造５では、一対の屋根材６０ａ、６０ｂは、その長手方向に延びる側部同士を突き合わせた状態で、連結構造１に取り付けられている。そして、連結構造１は、ビス７０を用いて建物の構造材８０に固定されている。このようにして、上述した連結構造１を用いて、一対の屋根材６０ａ、６０ｂが建物の構造材８０に固定される。
【００４７】
連結構造１の取り付け支持部２０は、その溝２４の部分に所定の間隔でビス７０が打ち込まれて、建物の構造材８０上に接合される。ビス７０としては、例えば、ドリルビスを用いることができる。
【００４８】
図４に示す屋根構造５では、屋根材６０ａ、６０ｂは、上面材６２と下面材６３とこれらを連結するリブ６４とからなる複層部材である。そのため、上面材６２と下面材６３とリブ６４とで囲まれた多数の中空部６１が形成されており、屋根材６０ａ、６０ｂに剛性を付与されると共に、中空部６１により断熱作用が発揮される。
【００４９】
また、屋根材６０ａ、６０ｂは、その端部において下方に延在する引っ掛け部６５を有しており、建物の構造材８０に固定された取り付け部材１０ａ、１０ｂに引っ掛け部６５を挿入して固定される。
【００５０】
屋根材保持部１２は、屋根材６０ａ、６０ｂの引っ掛け部６５の内側に位置する内面６５ａに当接する当接部１２ａと、屋根材６０ａ、６０ｂの端面であって引っ掛け部６５の外側に位置する外面６５ｂを受ける屋根材受け部１２ｂとから構成されている。屋根材受け部１２ｂは、取り付け本体１１の底部１１ａの略中央から垂直方向上方に延在している。また、当接部１２ａは、屋根材受け部１２ｂとは所定の距離離れると共に、側部１１ｂから内側に向かって引っ掛け部６５の内面６５ａの形状に対応するように延びている。引っ掛け部６５を当接部１２ａと屋根材受け部１２ｂとの間に挿入することにより、当接部１２ａがその弾性によって引っ掛け部６５の内面６５ａを屋根材受け部１２ｂに向けて付勢し、引っ掛け部６５の外面６５ｂを屋根材受け部１２ｂが受けることにより引っ掛け部６５が固定されて、屋根材保持部１２が屋根材６０ａ、６０ｂを保持するようになる。
【００５１】
また、引っ掛け部６５の先端部は鍵型に形成されており、屋根材保持部１２に挿入すると、引っ掛け部６５が抜け出るのを防止するようになっている。
【００５２】
また、図１（Ｂ）に示すように、上述した連結構造１の長手方向の一方の端部は押縁８１によって塞がれると共に、屋根材６０の端部は押縁８１によって上方から押えられ得る。この押縁８１は、取り付け部材１０ａのビス穴１３を用いて、取り付け部材１０ａに固定される。
【００５３】
また、連結構造１は、屋根の勾配と共に傾いた屋根の構造材８０上に固定されているので、その長手方向は水平ではなく鉛直方向に傾いている。そのため、図４に示す屋根材６０ａ、６０ｂの突き合わされた端部同士の隙間から樋状の取り付け部材１０ａ内部に侵入した雨水等は、屋根の高い方から低い方へ向かって取り付け本体１１内を流れていく。連結構造１の低い方へ流れた水は、図示しない排水手段（例えば、屋根の低いほうの端部に配置される樋など）を用いて屋外に排出される。ここで、一対の取り付け部材１０ａ、１０ｂは、その連結部の外側が、樋状の連結部材３０によって覆われているので、取り付け部材の連結部分から雨水等が漏れることが防止される。
【００５４】
取り付け部材１０ａ、１０ｂの形成材料は、特に限定しないが耐久性と加工容易性の観点から、金属製とするのがよく、特にアルミニウムが好適である。また、取り付け部材１０ａ、１０ｂは長手方向において同一断面で形成されており、押出し成形により任意の長さで作製することが可能である。
【００５５】
連結部材３０の形成材料は、特に限定しないが、取り付け部材１０ａ、１０ｂと同様の形成材料を用いることができる。例えば、取り付け部材１０ａ、１０ｂの形成材料としてアルミニウムを用いる場合には、電蝕を防止する観点から連結部材３０の形成材料も同じアルミニウムを用いることが好ましい。
【００５６】
屋根材６０ａ、６０ｂの形成材料としては、特に限定されずに各種の材料を適宜用いることができる。例えば、屋根材の形成材料が透光性を有すると、屋根の意匠性を向上する観点から好ましい。透光性を有する屋根材の形成材料としては、合成樹脂又はガラスを用いることができる。合成樹脂としては、具体的には、ポリカーボネート、アクリル、塩化ビニル等が挙げられる。特に、ポリカーボネートは、強度及び成型性のバランスが良く、好適に用いられ得る。
【００５７】
上述した本実施形態の屋根材の取り付け部材の連結構造によれば、屋根材の取り付け部材の連結部の止水性が高められる。
【００５８】
次に、上述した屋根材の取り付け部材の連結構造の第２及び第３実施形態を、図５〜図９を参照しながら以下に説明する。他の実施形態について特に説明しない点については、上述の第１実施形態に関して詳述した説明が適宜適用される。また、同一の構成要素には同一の符号を付してある。
【００５９】
図５は、本明細書に開示する屋根材の取り付け部材の連結構造の第２実施形態を示す斜視図である。図６（Ａ）は、第２実施形態の取り付け部材の連結構造の端面図であり、図６（Ｂ）は、平面図であり、図６（Ｃ）は、側面図である。ここで、図６（Ａ）は、図６（Ｂ）のＹ−Ｙ線断面図である。
【００６０】
本実施形態の取り付け部材の連結構造２は、上述した第１実施形態とは、取り付け支持部２５の構造が異なっている。連結構造２では、取り付け支持部２５は、底部１１ａの幅方向の端部それぞれから側部１１ｂとは反対の方向に向かって延びる垂直部２６と、垂直部２６の端部に垂設された板状の水平部２７とを有する。水平部２７は、板状の底部１１ａに対して平行に延びている。また、水平部２７は、垂直部２６に対して内方に延びる部分と、外方に延びる部分とを有する。外方に延びる部分の長さは、内方に延びる部分よりも長い。また、この外方に延びる部分には、取り付け本体１１を建物の構造材上に支持して固定する際に、ビス等で貫通穴を開けるための位置の目印となる溝２９が、取り付け支持部２５の長手方向に延びるように設けられている。なお、取り付け支持部２５が、取り付け本体１１の幅方向の両端部それぞれに設けられている点は、上述した第１実施形態と同様である。
【００６１】
また、連結構造２は、上述した第１実施形態とは、結合部の切り込みが設けられている位置が異なっている。連結構造２では、切り込み２８は、上述した垂直部２６に設けられている。切り込み２８は、取り付け支持部２５の長手方向に延びている。
【００６２】
図６（Ｃ）に示すように、切り込み２８を連結構造２の側方から見た形状は、横長の矩形形状を有する。
【００６３】
連結構造２の連結部材３０は、上述した第１実施形態と同様の構造を有する。
【００６４】
連結構造２では、連結部材３０の底板３１の両端部それぞれが、取り付け支持部２５の切り込み２８に差し込まれて、一対の取り付け部材１０ａ、１０ｂが、連結部材３０を用いて連結される。切り込み２８に差し込まれる底板３１の部分は、底板３１における側板３２と接続している部分の近傍である。
【００６５】
取り付け支持部２５の垂直部２６の長さによって建物の構造材と取り付け本体１１の底部１１ａとの間に形成される隙間は、連結部材３０の底板３１、又は底板３１及びシール材７１が収まることを許容する寸法を有することが好ましい。
【００６６】
本実施形態の他の構造は、上述した第１実施形態と同様である。
【００６７】
上述した本実施形態の屋根材の取り付け部材の連結構造によれば、上述した第１実施形態と同様の効果が得られる。
【００６８】
次に、本明細書に開示する屋根材の取り付け部材の連結構造の第３実施形態について、図を参照しながら、以下に説明する。
【００６９】
図７は、本明細書に開示する屋根材の取り付け部材の連結構造の第３実施形態を示す斜視図である。図８（Ａ）は、第３実施形態の取り付け部材の連結構造の端面図であり、図８（Ｂ）は、平面図であり、図８（Ｃ）は、側面図である。ここで、図８（Ａ）は、図８（Ｂ）のＺ−Ｚ線断面図である。
【００７０】
本実施形態の取り付け部材の連結構造３は、取り付け部材４０ａ、４０ｂの構造が、上述した第１実施形態とは異なっている。
【００７１】
一対の取り付け部材４０ａ、４０ｂそれぞれは、同じ形状を有している。そこで、以下に述べる取り付け部材４０ａに関する説明は、取り付け部材４０ｂに対しても適宜適用される。
【００７２】
取り付け部材４０ａは、屋根材６０が固定される長尺で樋状の取り付け本体４１、及び取り付け本体４１における長手方向の少なくとも一方の端部を建物の構造材上に支持する取り付け支持部５０を有する。
【００７３】
取り付け本体４１の長手方向は、取り付け部材４０ａの長手方向と一致している。また、本実施形態では、取り付け支持部５０は、取り付け本体４１の長手方向の全体に亘って設けられている。取り付け支持部５０の長手方向も、取り付け部材４０ａの長手方向と一致している。即ち、取り付け支持部５０は、取り付け本体４１の長手方向の全体を建物の構造材上に支持する。
【００７４】
まず、取り付け本体４１について、以下に説明する。
【００７５】
取り付け本体４１は、板状の底部４１ａと、底部４１ａの両端に底部４１ａとは反対の方向に向かって延びるように垂設された板状の側部４１ｂとを有する。底部４１ａと一対の側部４１ｂは、上方に開口した樋状の空間を形成する。底部４１ａ及び側部４１ｂも長尺であり、その長手方向は、取り付け本体４１の長手方向と一致する。
【００７６】
また、取り付け本体４１は、屋根材６０を取り付けるための屋根材保持部４２及びボルト固定部４５を有する。屋根材保持部４２は、側部４１ｂの端部から外方に向かって水平に延びている。屋根材保持部４２は、取り付け本体４１の長手方向の全体に亘って形成される。
【００７７】
また、ボルト固定部４５は、底部４１ａの略中央に設けられており、取り付け本体４１の長手方向の全体に亘って形成される。図８（Ａ）に示すように、ボルト固定部４５は、ボルトの頭を収容可能な形状を有しており、その上部にはボルト本体が挿通するスリット４５ａが設けられている。屋根材保持部４２及びボルト固定部４５を用いて屋根材６０が取り付け本体４１に取り付けられる構成については後述する。
【００７８】
次に、取り付け支持部５０について、以下に説明する。
【００７９】
取り付け支持部５０は、取り付け本体４１の幅方向の両端部それぞれに設けられている。取り付け支持部５０は、底部４１ａの幅方向の端部それぞれから外方に向かって延出している。
【００８０】
取り付け支持部５０は、底部４１ａの幅方向の端部から外方に向かって延びる板状の第１水平部５１と、第１水平部５１の端部から側部４１ｂとは反対の方向に向かって垂直に延びる垂直部５２と、垂直部５２の端部から外方に向かって延びる板状の第２水平部５３とを有する。第１水平部５１及び第２水平部５３は、板状の底部４１ａに対して平行に延びている。
【００８１】
第２水平部５３には、取り付け本体４１を建物の構造材上に支持して固定する際に、ビス等で貫通穴を開けるための位置の目印となる溝５５が、取り付け支持部５０の長手方向に延びるように設けられている。
【００８２】
図７に示すように、連結部材３５は、樋状の形状を有する。連結部材３５は、一対の取り付け部材４０ａ、４０ｂそれぞれの取り付け本体４１における一方の端部同士を突き合わせた状態で、突き合わされた一方の端部同士の外側を固定される屋根材とは反対の方向から覆うようにして、一対の取り付け部材４０ａ、４０ｂを連結する。
【００８３】
連結部材３５は、底板３６と、底板３６の両端に底板３６とは反対の方向に向かって延びるように垂設された側板３７とを有する。連結部材３５の構造は、上述した第１実施形態と同様である。
【００８４】
そして、第１水平部５１には、連結部材３５に結合される結合部を有する。本実施形態では、第１水平部５１の結合部は、切り込み５４を有する。切り込み５４は、取り付け支持部５０の長手方向に延びている。
【００８５】
図７に示すように、切り込み５４の形状は、縦長の矩形形状を有する。
【００８６】
連結部材３５の底板３６の両端に垂設された側板３７それぞれの基部が、取り付け支持部５０の切り込み５４に差し込まれて、一対の取り付け部材４０ａ、４０ｂが、連結部材３５を用いて連結される。
【００８７】
連結構造３では、取り付け本体４１における突き合わされた一方の端部と連結部材３５との間には、止水性を有するシール材が配置されることが、連結構造３の止水性を更に高める上で好ましい。
【００８８】
取り付け支持部５０の垂直部５２の長さによって建物の構造材と取り付け本体４１の底部４１ａとの間に形成される隙間は、連結部材３５の底板３６、又は底板３６及びシール材が収まることを許容する寸法を有することが好ましい。
【００８９】
このように、連結構造３では、一対の取り付け部材４０ａ、４０ｂの連結部が、連結部材３５によって連結されている。
【００９０】
図９は、第３実施形態の取り付け部材の連結構造に屋根材が固定された屋根構造の一実施形態を示す図である。
【００９１】
屋根構造６では、取り付け部材４０ａは、屋根材６０ａ、６０ｂの端部上面に配置される板状の屋根材押え部４３と、屋根材押え部４３を取り付け本体４１から支持する支持部４６と、屋根材６０ａ、６０ｂの端部下面を取り付け本体４１側から保持する上述した屋根材保持部４２とを有する。支持部４６が屋根材押え部４３と取り付け本体４１とを連結しているので、屋根材押え部４３が屋根材６０ａ、６０ｂの端部を下方に向けて押圧することができる。そのため、取り付け部材４０ａは、屋根材押え部４３と取り付け本体４１とにより屋根材６０ａ、６０ｂの端部を挟持し、屋根材６０ａ、６０ｂを保持することができる。また、一対の屋根材保持部４２が、屋根材６０ａ、６０ｂの端部下面を支えることにより、屋根材６０ａ、６０ｂが確実に保持される。
【００９２】
連結構造３では、支持部４６はボルトにより実現されており、図９に示すように、ボルト頭部４６ａを下方にして、ネジ山が形成されたボルト本体４６ｂを上方に向けて配置している。支持部４６の長さは、取り付け部材４０ａに屋根材６０ａ、６０ｂを配置した場合の高さよりも長く、少なくともボルト本体４６ｂの端部が屋根材６０ａ、６０ｂの上面材６２から突出するようになっている。
【００９３】
取り付け本体４１の底部４１ａの内面中央には、ボルト頭部４６ａを固定する上述したボルト固定部４５が設けられている。ボルト固定部４５は支持部４６のボルト頭部４６ａの断面形状に合わせて形成されており、ボルト固定部４５の上部にはボルト本体４６ｂを挿通するため、ボルト本体４６ｂの幅と略同じ幅のスリット４５ａが設けられている。支持部４６は、取り付け部材４０ａの長手方向の端部よりボルト頭部４６ａをボルト固定部４５の内部に挿入し、ボルト本体４６ｂをスリット４５ａから出た状態で所定の位置まで長手方向に沿って移動させ、直立させる。支持部４６の移動を可能にすることによって、後述する屋根押え部４３に形成されたボルト孔４４の所定の位置に合わせることができ、ボルト本体４６ｂを容易にボルト孔４４に挿通させることができる。もし、ボルト頭部４６ａが取り付け本体４１に溶接固定されていると、支持部４６は移動できずボルト本体４６ｂとボルト孔４４との位置がずれた場合、屋根押え部４３に再度孔を開ける必要があり、作業効率が下がる。
【００９４】
本実施形態の支持部４６の上方端部には、屋根材押え部４３と、屋根材押え部４３を固定するためのナット及び座金４７とが配置されている。屋根材押え部４３は、屋根材６０ａ、６０ｂや取り付け本体４１と実質的に同じ長さを有する長尺の板であって、支持部４６のボルト本体４６ｂを挿通するためのボルト孔４４が所定の位置に形成されている。ボルト孔４４の数は、屋根材６０ａ、６０ｂを保持するのに必要な支持部４６の数だけ形成される。取り付け部材４０ａは、屋根材６０ａ、６０ｂを取り付け本体４１と屋根材押え部４３との間に介装した後、ナット及び座金４７をボルト本体４６ｂに螺合することにより、屋根材６０ａ、６０ｂを保持することができる。
【００９５】
上述した本実施形態の屋根材の取り付け部材の連結構造によれば、上述した第１実施形態と同様の効果が得られる。
【００９６】
また、本実施形態では、屋根材６０ａ、６０ｂの突き合わされた端部同士の隙間が屋根材押え部４３によって覆われているので、雨水等が、樋状の取り付け部材１０ａ内部に侵入することが防止される。
【００９７】
次に、上述した一対の取り付け部材を連結部材を用いて連結する方法の好ましい第１実施形態を、図面を参照して、以下に説明する。
【００９８】
本実施形態の方法は、上述した第１実施形態の連結構造１を形成する方法の一例である。
【００９９】
まず、図１０（Ａ）に示すように、連結部材３０を、建物の構造材８０上に配置する。そして、連結部材３０の内面に、止水性を有するペースト状のシール材７１が塗布される。このようにして、後述する取り付け部材１０ａと連結部材３０との間及び後述する取り付け部材１０ｂと連結部材３０との間に、シール材７１が配置される。
【０１００】
そして、取り付け部材１０ｂを、連結部材３０の上方から連結部材３０に向かって降ろして、その取り付け支持部２０の切り込み２３に連結部材３０の一方の側における側板３２それぞれを差し込み、取り付け部材１０ｂを連結部材３０の一方の側に結合する。連結部材３０の内面に塗布されたペースト状のシール材７１は、連結部材３０と取り付け部材１０ｂとを接着する。
【０１０１】
更に、取り付け部材１０ｂの取り付け支持部２０を、建物の構造材８０上に接合する。取り付け支持部２０の建物の構造材８０に対する接合は、例えば、ドリルビス（図示せず）を溝２４に所定の間隔で打ち込むことにより行うことができる。このようにして、取り付け部材１０ｂの取り付け本体１１が、取り付け支持部２０を用いて、建物の構造材８０上に固定される。
【０１０２】
次に、図１０（Ｂ）に示すように、取り付け部材１０ａを、連結部材３０の上方から連結部材３０に向かって降ろして、その取り付け支持部２０の切り込み２３に連結部材３０の他方の側における側板３２それぞれを差し込み、取り付け部材１０ａを連結部材３０の他方の側に結合する。連結部材３０の内面に塗布されたペースト状のシール材７１は、連結部材３０と取り付け部材１０ａとを接着する。
【０１０３】
そして、取り付け部材１０ａの取り付け支持部２０を、建物の構造材８０上に接合する。取り付け支持部２０の建物の構造材８０に対する接合は、例えば、ドリルビス（図示せず）を溝２４に所定の間隔で打ち込むことにより行うことができる。この状態を、図１０（Ｃ）に示す。このようにして、取り付け部材１０ａの取り付け本体１１が、取り付け支持部２０を用いて、建物の構造材８０上に固定される。
【０１０４】
次に、図１０（Ｄ）に示すように、連結部材３０の側板３２と取り付け本体１１との間に止水性を有するシール材７２を塗布する。また、取り付け部材１０ａと取り付け部材１０ｂとの間にもシール材７２を塗布する。
【０１０５】
このようにして、一対の取り付け部材１０ａ、１０ｂが連結部材３０を用いて連結された連結構造１が形成される。同様の連結構造１が、建物の構造材８０上に複数形成されても良い。
【０１０６】
そして、屋根材を連結構造１に取り付けることにより、屋根構造が形成される。
【０１０７】
上述した本実施形態の方法によれば、連結部材３０の内面に配置されたシール材７１がずれることなく、取り付け部材１０ａ、１０ｂを連結部材３０に結合できるので、連結構造１の止水性が損なわれない。また、このように止水性を損なう懸念がないので、作業の施工性が良い。
【０１０８】
次に、上述した一対の取り付け部材を連結部材を用いて連結する方法の好ましい第２実施形態を、図面を参照して、以下に説明する。本実施形態の方法は、上述した第１実施形態の連結構造１を形成する方法の他の例である。
【０１０９】
まず、図１１（Ａ）に示すように、取り付け部材１０ｂを、建物の構造材８０上に配置する。
【０１１０】
そして、取り付け部材１０ｂの取り付け支持部２０を、建物の構造材８０上に接合する。取り付け支持部２０の建物の構造材８０に対する接合は、例えば、ドリルビス（図示せず）を溝２４に所定の間隔で打ち込むことにより行うことができる。このようにして、取り付け部材１０ｂの取り付け本体１１が、取り付け支持部２０を用いて、建物の構造材８０上に固定される。
【０１１１】
次に、図１１（Ｂ）に示すように、内面に止水性を有するペースト状のシール材７１が塗布された連結部材３０を、建物の構造材８０上に固定された取り付け部材１０ｂの側方から取り付け部材１０ｂに向かって移動させて、取り付け部材１０ｂの取り付け支持部２０の切り込み２３に、連結部材３０の一方の側における側板３２それぞれを差し込み、取り付け部材１０ｂを連結部材３０の一方の側に結合する。
【０１１２】
次に、図１１（Ｃ）に示すように、取り付け部材１０ａを、連結部材３０の側方から連結部材３０に向かって移動させて、取り付け部材１０ａの取り付け支持部２０の切り込み２３に連結部材３０の他方の側における側板３２それぞれを差し込み、取り付け部材１０ａを連結部材３０の他方の側に結合する。
【０１１３】
そして、取り付け部材１０ａの取り付け支持部２０を、建物の構造材８０上に接合する。取り付け支持部２０の建物の構造材８０に対する接合は、例えば、ドリルビス（図示せず）を溝２４に所定の間隔で打ち込むことにより行うことができる。この状態を、図１１（Ｄ）に示す。このようにして、取り付け部材１０ａの取り付け本体１１が、取り付け支持部２０を用いて、建物の構造材８０上に固定される。
【０１１４】
次に、図１１（Ｅ）に示すように、連結部材３０の側板３２と取り付け本体１１との間に止水性を有するシール材７２を塗布する。また、取り付け部材１０ａと取り付け部材１０ｂとの間にもシール材７２を塗布する。
【０１１５】
このようにして、一対の取り付け部材１０ａ、１０ｂが連結部材３０を用いて連結された連結構造１が形成される。同様の連結構造１が、建物の構造材８０上に複数形成されても良い。
【０１１６】
そして、屋根材を連結構造１に取り付けることにより、屋根構造が形成される。
【０１１７】
次に、上述した一対の取り付け部材を連結部材を用いて連結する方法の好ましい第３実施形態を、図面を参照して、以下に説明する。本実施形態の方法は、上述した第２実施形態の連結構造２を形成する方法の一例である。
【０１１８】
まず、図１２（Ａ）に示すように、取り付け部材１０ｂを、建物の構造材８０上に配置する。
【０１１９】
そして、取り付け部材１０ｂの取り付け支持部２５を、建物の構造材８０上に接合する。取り付け支持部２５の建物の構造材８０に対する取り付け部材１０ａのは、例えば、ドリルビス（図示せず）を溝２９に所定の間隔で打ち込むことにより行うことができる。このようにして、取り付け部材１０ｂの取り付け本体１１が、取り付け支持部２５を用いて、建物の構造材８０上に固定される。
【０１２０】
次に、図１２（Ｂ）に示すように、内面に止水性を有するペースト状のシール材７１が塗布された連結部材３０を、建物の構造材８０上に固定された取り付け部材１０ｂの側方から取り付け部材１０ｂに向かって移動させて、取り付け部材１０ｂの取り付け支持部２５の切り込み２８に、連結部材３０の一方の側における底板３１の両端部それぞれを差し込み、取り付け部材１０ｂを連結部材３０の一方の側に結合する。
【０１２１】
次に、図１２（Ｃ）に示すように、取り付け部材１０ａを、連結部材３０の側方から連結部材３０に向かって移動させて、取り付け部材１０ａの取り付け支持部２５の切り込み２８に連結部材３０の他方の側における底板３１の両端部それぞれを差し込み、取り付け部材１０ａを連結部材３０の他方の側に結合する。
【０１２２】
そして、取り付け部材１０ａの取り付け支持部２５を、建物の構造材８０上に接合する。取り付け支持部２５の建物の構造材８０に対する接合は、例えば、ドリルビス（図示せず）を溝２９に所定の間隔で打ち込むことにより行うことができる。この状態を、図１２（Ｄ）に示す。このようにして、取り付け部材１０ａの取り付け本体１１が、取り付け支持部２５を用いて、建物の構造材８０上に固定される。
【０１２３】
次に、図１２（Ｅ）に示すように、連結部材３０の側板３２と取り付け本体１１との間に止水性を有するシール材７２を塗布する。また、取り付け部材１０ａと取り付け部材１０ｂとの間にもシール材７２を塗布する。
【０１２４】
このようにして、一対の取り付け部材１０ａ、１０ｂが連結部材３０を用いて連結された連結構造２が形成される。同様の連結構造２が、建物の構造材８０上に複数形成されても良い。
【０１２５】
そして、屋根材を連結構造２に取り付けることにより、屋根構造が形成される。
【０１２６】
また、上述した第３実施形態の連結構造３は、本実施形態の方法と同じ手順を用いて形成することができる。
【０１２７】
本発明では、上述した実施形態の屋根材の取り付け部材の連結構造、そのような構造に用いられる取り付け部材及びそのような一対の取り付け部材を連結部材を用いて連結する方法は、本発明の趣旨を逸脱しない限り適宜変更が可能である。また、一の実施形態が有する構成要件は、他の実施形態にも適宜適用することができる。
【０１２８】
例えば、上述した連結構造の実施形態では、一対の取り付け部材が連結部材を用いて連結されていたが、３つ以上の取り付け部材が、複数の連結部材を用いて連結されていても良い。連結構造が３つの取り付け部材を有する場合、真ん中の取り付け部材は、その長手方向の両端部それぞれが、連結部材を用いて、他の取り付け部材と連結される。
【０１２９】
また、上述した連結構造では、取り付け部材の取り付け本体には、その長手方向の全体に亘って取り付け支持部が設けられていたが、取り付け支持部は、取り付け部材の長手方向における少なくとも一方の端部に設けられていれば良い。または、取り付け支持部は、取り付け部材の長手方向における少なくとも両方の端部に設けられていれば良い。
【符号の説明】
【０１３０】
１、２、３    連結構造
５、６    屋根構造
１０ａ、１０ｂ    取り付け部材
１１    取り付け本体
１１ａ    底部
１１ｂ    側部
１２    屋根材保持部
１２ａ    当接部
１２ｂ    屋根材受け部
１３    ビス穴
２０    取り付け支持部
２１    傾斜部
２２    水平部
２３    切り込み（結合部）
２４    溝
２５    取り付け支持部
２６    垂直部
２７    水平部
２８    切り込み（結合部）
２９    溝
３０    連結部材
３１    底板
３２    側板
３５    連結部材
３６    底板
３７    側板
４０ａ、４０ｂ    取り付け部材
４１    取り付け本体
４１ａ    底部
４１ｂ    側部
４２    屋根材保持部
４３    屋根材押さえ部
４４    ボルト孔
４５    ボルト固定部
４５ａ    スリット
４６    支持部
４６ａ    ボルト頭部
４６ｂ    ボルト本体
４７    ナット及び座金
５０    取り付け支持部
５１    第１水平部
５２    垂直部
５３    第２水平部
５４    切り込み（結合部）
５５    溝
６０、６０ａ、６０ｂ    屋根材
６１    中空部
６２    上面材
６３    下面材
６４    リブ
６５    引っ掛け部
６５ａ    内面
６５ｂ    外面
６６    当接部
６７    受け部
７０    ビス
７１、７２    シール材
８０    建物の構造材
８１    押縁
【図１】
2013113034.tif 000003
【図２】
2013113034.tif 000004
【図３】
2013113034.tif 000005
【図４】
2013113034.tif 000006
【図５】
2013113034.tif 000007
【図６】
2013113034.tif 000008
【図７】
2013113034.tif 000009
【図８】
2013113034.tif 000010
【図９】
2013113034.tif 000011
【図１０】
2013113034.tif 000012
【図１１】
2013113034.tif 000013
【図１２】
2013113034.tif 000014